(57)【要約】【課題】シールドが曇ってユーザの視界が遮られる従来の問題点を改善する防曇性フィルム構造を提供する。【解決手段】防曇性フィルム構造１００は、防曇フィルム１０及びガム２０を含む。防曇フィルム１０は、フィルム前面１１と、フィルム前面１１と表裏の関係にあるフィルム後面１２とを含む。ガム２０は、フィルム後面１２の縁部に形成され、縁部に沿って枠状に形成される。防曇フィルム１０は、トリアセテートセルロースフィルムからなる。防曇フィルム１０は、ガム２０を介してシールドに貼り付けられ、シールドとの間に気密空間が形成される。ユーザの両目位置に対応するようにシールド上に貼り付けられる。防曇フィルム１０は透明フィルムである。防曇フィルム１０のフィルム前面１１又はフィルム後面１２には、耐ＵＶ性の有色フィルムが貼り付けられるか、防曇フィルムに耐ＵＶ性染色処理が施される。【選択図】図２
0003202173.tif 000002
【実用新案登録請求の範囲】
【請求項１】
防曇フィルム及びガムを含む防曇性フィルム構造であって、
前記防曇フィルムは、フィルム前面と、前記フィルム前面と表裏の関係にあるフィルム後面と、を含み、
前記ガムは、前記フィルム後面の縁部に形成され、前記縁部に沿って枠状に形成されていることを特徴とする防曇性フィルム構造。
【請求項２】
前記防曇フィルムは、トリアセテートセルロースフィルムからなることを特徴とする請求項１に記載の防曇性フィルム構造。
【請求項３】
前記防曇フィルムは、前記ガムを介してシールドに貼り付けられていて、前記シールドとの間に気密空間が形成されていることを特徴とする請求項１または２に記載の防曇性フィルム構造。
【請求項４】
ユーザの両目位置に対応するように前記シールド上に貼り付けられていることを特徴とする請求項３に記載の防曇性フィルム構造。
【請求項５】
前記防曇フィルムは透明フィルムであることを特徴とする請求項１〜４いずれか１項に記載の防曇性フィルム構造。
【請求項６】
前記防曇フィルムの前記フィルム前面又は前記フィルム後面には、耐ＵＶ性の有色フィルムが貼り付けられているか、若しくは前記防曇フィルムに耐ＵＶ性染色処理が施されていることを特徴とする請求項１〜４いずれか１項に記載の防曇性フィルム構造。
【請求項７】
前記防曇フィルムの前記フィルム前面又は前記フィルム後面に、偏光状態を解消する偏光フィルムが貼り付けられているか、若しくは前記防曇フィルムに偏光処理が施されていることを特徴とする請求項１〜４いずれか１項に記載の防曇性フィルム構造。
【請求項８】
前記フィルム前面には、当該フィルム前面を完全に覆うように貼り付けられた剥離フィルムを有することを特徴とする請求項１〜７いずれか１項に記載の防曇性フィルム構造。
【請求項９】
前記ガムはＥＶＡフォームテープであることを特徴とする請求項１〜８いずれか１項に記載の防曇性フィルム構造。
【考案の詳細な説明】
【技術分野】
【０００１】
本考案は、フィルム構造に関し、特に、曇止め用防曇性フィルム構造に関する。
【背景技術】
【０００２】
ヘルメットは、個人の頭部を守るために用いられ、頭部に加わる衝撃を弱めて頭部が怪我することを防ぐ。ヘルメットは、建築、交通などの分野で広く利用されている。現在市販されているヘルメットには様々な種類があるが、そのなかでもハーフ形又はフルフェイス形のヘルメットが最も広く普及している。ユーザは、ヘルメットを被って頭部を保護する上、ヘルメットの前方に取り付けたシールドにより顔を保護する。天気が良いときには、シールドにより太陽光を遮って顔が太陽光に直接照射されることを防ぎ、天気が悪いときには、冷たい風雨が直接顔に当たることを防ぎ、さらには昆虫、小石、埃などの異物が顔に当たることを防ぐ。
【０００３】
しかし、屋外の気温が低めである場合、ユーザ自身の体温と外気温との温度差により、空気中に含まれる水分により結露が発生してシールドが曇る上、その温度差のためにシールドの曇りを速やかに解消することもできなかった。シールドの曇りが完全に解消されなければ、ユーザの視界が悪くなり、最悪の場合ほとんど見えなくなって危険な状態となり、ユーザが自動二輪車を運転したり、危険な作業を行ったりする際に事故が発生し易くなり、ユーザは自らの安全性を確保することが困難となる虞がある上、最悪の場合、他人に怪我をさせ、取り返しのつかない悲劇を起こしてしまう虞もある。
【考案の概要】
【考案が解決しようとする課題】
【０００４】
そのため、本考案の目的は、シールドが曇ってユーザの視界が遮られる従来の問題点を改善する防曇性フィルム構造を提供することにある。
【課題を解決するための手段】
【０００５】
上記課題を解決するために、本考案は、防曇フィルム及びガムを含む防曇性フィルム構造であって、前記防曇フィルムは、フィルム前面と、前記フィルム前面と表裏の関係にあるフィルム後面と、を含み、前記ガムは、前記フィルム後面の縁部に形成され、前記縁部に沿って枠状に形成されていることを特徴とする防曇性フィルム構造が提供される。
【０００６】
さらに、前記防曇フィルムは、トリアセテートセルロースフィルムからなる。
【０００７】
さらに、前記防曇フィルムは、前記ガムを介してシールドに貼り付けられていて、前記シールドとの間に気密空間が形成されている。
【０００８】
さらに、防曇性フィルム構造は、ユーザの両目位置に対応するように前記シールド上に貼り付けられている。
【０００９】
さらに、前記防曇フィルムは透明フィルムである。
【００１０】
さらに、前記防曇フィルムの前記フィルム前面又は前記フィルム後面には、耐ＵＶ性の有色フィルムが貼り付けられているか、若しくは前記防曇フィルムに耐ＵＶ性染色処理が施されている。
【００１１】
さらに、前記防曇フィルムの前記フィルム前面又は前記フィルム後面に、偏光状態を解消する偏光フィルムが貼り付けられているか、若しくは前記防曇フィルムに偏光処理が施されている。
【００１２】
さらに、前記フィルム前面には、当該フィルム前面を完全に覆うように貼り付けられた剥離フィルムを有すること。
【００１３】
さらに、前記ガムはＥＶＡフォームテープである。
【考案の効果】
【００１４】
本考案の防曇性フィルム構造は、従来技術と比べて以下（１）及び（２）の効果を有する。
（１）平面、柱面、球面など様々な形状のシールドに密着させることができるため、接着フィルムを全面的に貼り、貼り合わせ面に気泡が発生し易かった従来の問題点を改善することができる。
（２）シールドと貼り合わせることにより、防曇フィルムとシールドとの間に形成した気密空間により熱伝導を遮って曇ることを防いでユーザの視界をクリアにし、ユーザの視界が遮られることにより発生する事故を防ぐ。
【図面の簡単な説明】
【００１５】
【図１】図１は、本考案の一実施形態に係る防曇性フィルム構造を示す斜視図である。
【図２】図２は、本考案の一実施形態に係る防曇性フィルム構造を示す分解斜視図である。
【図３−１】図３−１は、本考案の一実施形態に係る防曇性フィルム構造の防曇性フィルムの形状を示す正面図（１）である。
【図３−２】図３−２は、本考案の一実施形態に係る防曇性フィルム構造の防曇性フィルムの形状を示す正面図（２）である。
【図４】図４は、本考案の一実施形態に係る防曇性フィルム構造をシールドに貼り付けたときの状態を示す断面図である。
【図５】図５は、本考案の一実施形態に係る防曇性フィルム構造をヘルメットのシールドに貼り付けたときの状態を示す正面図である。
【考案を実施するための形態】
【００１６】
図１及び図２を参照する。図１及び図２に示すように、本考案の一実施形態に係る防曇性フィルム構造１００は、平面、柱面、球面など様々な形状のシールドに貼り付け、シールドが曇ることを防ぐ。
【００１７】
上述した防曇性フィルム構造１００は、防曇フィルム１０及びガム２０を含む。
【００１８】
上述した防曇フィルム１０は、フィルム前面１１と、フィルム前面１１と表裏の関係にあるフィルム後面１２と、を含む。本実施形態の防曇フィルム１０は、トリアセテートセルロース（ｔｒｉａｃｅｔａｔｅ  ｃｅｌｌｕｌｏｓｅ：ＴＡＣ）フィルムからなる。上述の材料で製作された防曇フィルム１０は、透明度が高く、虹模様が無いなどの光学特性を有するため、ユーザの視界を良好にすることができる。
【００１９】
詳細には、本実施形態の防曇フィルム１０は、好ましくは以下で述べる防曇フィルム１０の製造方法により製造する。防曇フィルム１０の製造方法は、防曇フィルム１０の主成分であるトリアセテートセルロース（又はトリアセチルセルロースフィルムとも称する）に対して鹸化処理を行うステップと、中和洗浄ステップと、乾燥ステップと、を含む。その特徴は、トリアセテートセルロースを濃度６〜９％のアルカリエッチング溶液で鹸化処理することにある。
【００２０】
トリアセテートセルロースは、市販されているトリアセチルセルロースフィルムでもよく、厚さが好ましくは２５μｍ〜２７０μｍであり、より好ましくは６０μｍ〜２７０μｍ（例えば、６０μｍ、１２０μｍ、１８０μｍ、２７０μｍなど）である。鹸化処理ステップの目的は、トリアセテートセルロースの−ＯＣＯＣＨ３基の一部又は大部分を親水基型の−ＯＨ基に加水分解し、高親水性の表面構造を形成することにある。アルカリエッチング溶液は、水酸化ナトリウム又は水酸化カリウムであることが好ましいが、これらだけに限定されるわけではない。アルカリエッチング溶液の温度は、好ましくは４０〜６０℃であり、より好ましくは５０〜６０℃であり、更に好ましくは６０℃である。鹸化処理の浸漬時間は、好ましくは３０秒以上であり、より好ましくは３０〜８０秒であり、更に好ましくは６０秒である。
【００２１】
本実施形態の防曇フィルム１０の厚さは、好ましくは約４０〜２５０μｍである。
【００２２】
防曇フィルム１０のトリアセチルセルロースフィルムを鹸化処理した後、表面の水接触角は、好ましくは３０°より小さく、より好ましくは２５°より小さい。ここでいう「水接触角」とは、液体／気体界面が固体表面に接触して形成される夾角を意味する。上述の鹸化ステップを行うと、トリアセチルセルロースフィルム表面の親水特性が高まり、その親水特性の高さは、表面に対する水滴の接触角の大きさにより決定され、水の接触角が小さいほど、親水特性が高いことを表す。反対に、水接触角が大きいほど、親水性が低いことを表す。
【００２３】
上述の製造方法では、中和水洗ステップを純水で行うが、前記純水は純水、イオン交換水または超音波純水を使用するが、それらに限定されるわけではない。液温は、好ましくは２０〜６０℃であり、より好ましくは３０〜５０℃である。浸漬時間は、好ましくは１５秒以上であり、より好ましくは２０秒以上である。
【００２４】
上述の製造方法の乾燥ステップで使用する熱源は、必要に応じて選択してもよい。本実施形態では、ホットプレート（ｈｏｔ  ｐｌａｔｅ）を含む乾燥ボックス又は遠赤外線を含む乾燥ボックスであるが、これだけに限定されるわけではない。乾燥は、熱風で行うが、その温度は約５０〜１００℃であり、好ましくは６０〜９０℃である。その乾燥時間はトリアセチルセルロースフィルムの厚さに応じて決定し、フィルムの厚さが２５μｍである場合、その乾燥時間は６０秒であることが好ましい。
【００２５】
本考案の好適な実施形態において、上述の防曇フィルム１０は、透明フィルムでもよいが、透明フィルムの全光線透過率は約９２％以上と光透過率が高いため、紫外線遮蔽効果はあまり高くない。
【００２６】
好適な実施形態において、上述の防曇フィルム１０は、さらにフィルム前面１１又はフィルム後面１２を耐ＵＶ性の有色フィルムに貼り付けるか、防曇フィルム１０に耐ＵＶ性染色処理を施す。有色フィルムの全光線透過率は、約６０％以上であり、フィルムの色はオレンジブラウン、灰青色などでもよい。防曇フィルム１０を染色するか、有色フィルムを貼り付けることで防曇フィルム１０の紫外線遮蔽効果を高め、ユーザの眼が大量の紫外線を吸収して眼部に角膜炎、結膜炎、白内障などの病変又は傷害が発生することを防ぐ。
【００２７】
本考案の好適な実施形態において、上述した防曇フィルム１０は、さらにフィルム前面１１又はフィルム後面１２に、偏光状態を解消する偏光フィルムを貼り付けるか、防曇フィルム１０に偏光処理を行う。偏光フィルムの全光線透過率は約４０％以上であり、各種反射光、強い光、ギラツキなど光のノイズを解消し、路面、水面又は雪により反射された光線を低減し、ユーザの視界をクリアにする。
【００２８】
本実施形態のフィルム前面１１は、剥離フィルム（図示せず）を完全に覆うように貼り付けられる。剥離フィルムは、保護機能を有し、防曇フィルム１０が使用前に損傷してしまい利用できなくなって無駄となることを防ぐ。
【００２９】
図３−１及び図３−２を参照する。図３−１は、本考案の一実施形態に係る防曇性フィルム構造の防曇性フィルムの形状を示す正面図（１）である。図３−２は、本考案の一実施形態に係る防曇性フィルム構造の防曇性フィルムの形状を示す正面図（２）である。図３−１及び図３−２は、防曇フィルム１０が呈する２種類の形状を示す。図３−１の防曇フィルム１０は、角張った外観形状を呈する。図３−２の防曇フィルム１０は、角が取れて丸くなった外観形状を呈する。防曇フィルム１０の寸法、形状、機能などの条件は、生産者の必要に応じてその製品が最も優れた方式により実施するが、本考案はこれだけに限定されるわけではない。
【００３０】
上述のガム２０は、フィルム後面１２の縁部に形成され、縁部に沿って枠状に形成される。防曇フィルム１０は、枠状のガム２０を介することにより、平面、柱面、球面など様々な形状のシールド上に貼付けることができるため、球面のシールドを全面的に貼り付けることが困難な問題を改善することができるとともに、全面的に貼り合わせて貼り合わせ面に気泡が発生し易い問題を改善することもできる。
【００３１】
本実施形態において、上述のガム２０は、ＥＶＡフォームテープであることが好ましいが、これだけに限定されるわけではない。ＥＶＡフォームテープは、防湿性、抗溶剤及び耐熱性が好ましい特長を有し、防曇フィルム１０を各種シールドＭに貼り付ける接着工具に適する。
【００３２】
図４を参照する。図４は、本考案の一実施形態に係る防曇性フィルム構造をシールドに貼り付けたときの状態を示す断面図である。上述の防曇フィルム１０は、ガム２０よりシールドＭに貼り付け、シールドＭとの間に気密空間Ｓが形成される。空気は電気的に不良導体であるため、空気が非流動状態にあるとき、熱伝導に不利であるため、気密空間Ｓにより熱伝導を効果的に遮り、防曇フィルム１０が貼り付けられているシールドＭ領域に曇りが発生することを防いでユーザの視界を良好にする。
【００３３】
図５を参照する。図５は、本考案の一実施形態に係る防曇性フィルム構造をヘルメットＨのシールドＭに貼り付けたときの状態を示す正面図である。図５に示すように、上述の防曇性フィルム構造１００を、ユーザの両目位置に対応するようにシールドＭ上に貼り付ける。防曇性フィルム構造１００がユーザの両目の視界範囲に貼り付けられると、視界範囲が曇って遮られることがなく、ユーザの視界をはっきりさせるとともに、ユーザの視界が遮られて事故が発生する危険性を低減させることができる。
【００３４】
上述したことから分かるように、本考案の防曇性フィルム構造は、ガムを介して平面、柱面、球面など様々な形状のシールドに密着させることができるため、接着フィルムを全面的に貼るときに貼り合わせ面に気泡が発生し易い問題を改善することができる上、ガムを介してシールドと貼り合わせることにより、防曇フィルムとシールドとの間に形成された気密空間により熱伝導を遮断し、曇ることを防いでユーザの視界をクリアにすることができるため、ユーザの視界が遮られることにより発生する事故を防ぐことができる。
【符号の説明】
【００３５】
１０  防曇フィルム
１１  フィルム前面
１２  フィルム後面
２０  ガム
１００  防曇性フィルム構造
Ｈ  ヘルメット
Ｍ  シールド
Ｓ  気密空間
【図１】
0003202173.tif 000003
【図２】
0003202173.tif 000004
【図３−１】
0003202173.tif 000005
【図３−２】
0003202173.tif 000006
【図４】
0003202173.tif 000007
【図５】
0003202173.tif 000008